(57)【要約】【課題】  ハンガー掛けにおいて、鴨居等に安定良く平行に固定でき、かつ多数のハンガーを掛けて用いることができるようにすること。【解決手段】  ハンガー掛け１０であって、各クランプアーム１１、２１は左右のアーム部を連結一体化し、被クランプ体へのクランプ部１２、２２を左右のアーム部に渡るように設け、両クランプアーム１１、２１の左アーム部同士を左枢軸３０Ａに、右アーム部同士を右枢軸３０Ｂに枢着し、両クランプアーム１１、２１の左右のアーム部の間に吊下げ部５０を延在し、吊下げ部５０の一端を左枢軸３０Ａに支持し、吊下げ部５０の他端を右枢軸３０Ｂに支持してなるもの。【選択図】  図１
2008029805.tif 000002
【特許請求の範囲】
【請求項１】
相対するクランプアームを枢軸に枢着するとともに、両クランプアームを被クランプ体にクランプさせる方向に常時付勢するばねを設けてなるハンガー掛けであって、
各クランプアームは左右のアーム部を連結一体化し、被クランプ体へのクランプ部を左右のアーム部に渡るように設け、
両クランプアームの左アーム部同士を左枢軸に、右アーム部同士を右枢軸に枢着し、
両クランプアームの左右のアーム部の間に吊下げ部を延在し、吊下げ部の一端を左枢軸に支持し、吊下げ部の他端を右枢軸に支持してなるハンガー掛け。
【請求項２】
前記各クランプアームの左右のアーム部に渡るように設けられるクランプ部のクランプ高さ位置を調整可能にするように該クランプ部を左右のアーム部に対して着脱可能にする請求項１に記載のハンガー掛け。
【請求項３】
相対するクランプアームを中央リンクの両端に設けた枢軸のそれぞれに枢着するとともに、両クランプアームを被クランプ体にクランプさせる方向に常時付勢するばねを設けてなるハンガー掛けであって、
各クランプアームは左右のアーム部を連結一体化し、被クランプ体へのクランプ部を左右のアーム部に渡るように設け、
中央リンクは各クランプアームの左右のアーム部に対応する左右のリンク部を有し、
両クランプアームの各左アーム部を中央リンクの左リンク部の両端に設けた各左枢軸に枢着し、両クランプアームの各右アーム部を中央リンクの右リンク部の両端に設けた各右枢軸に枢着し、
両クランプアームの左右のアーム部の間に左右の吊下げ部を延在してなるハンガー掛け。
【発明の詳細な説明】
【技術分野】
【０００１】
本発明は、鴨居等の被クランプ体にクランプして固定し、服を掛けたハンガー等を掛けて使用できるハンガー掛けに関する。
【背景技術】
【０００２】
従来のハンガー掛けとして、特許文献１に記載の如く、相対するクランプアームを枢軸に枢着するとともに、両クランプアームを被クランプ体にクランプさせる方向に常時付勢するばねを設けてなるものがある。
【特許文献１】特開平8-66294
【発明の開示】
【発明が解決しようとする課題】
【０００３】
従来のハンガー掛けには以下の問題点がある。
(1)ハンガー掛けは各クランプアームを１本のアーム部だけからなるものとしている。ハンガー掛けは、相対するクランプアームの各１本のアーム部の先端だけを鴨居等に突き当て、該鴨居等に挟持するものである。従って、クランプアームは鴨居等に突き当てられるクランプ巾を広巾にすることに限界があり、鴨居等を安定良く確実にクランプできず、ハンガー掛けの全体を鴨居等に安定良く平行に固定できない。
【０００４】
(2)ハンガー掛けは各クランプアームに設けたフックや、両クランプアームに係止した吊部材の角孔に単一のハンガーを掛けて用いるものであって、多数のハンガーを掛けて用いることができない。
【０００５】
本発明の課題は、ハンガー掛けにおいて、鴨居等に安定良く平行に固定でき、かつ多数のハンガーを掛けて用いることができるようにすることにある。
【課題を解決するための手段】
【０００６】
請求項１の発明は、相対するクランプアームを枢軸に枢着するとともに、両クランプアームを被クランプ体にクランプさせる方向に常時付勢するばねを設けてなるハンガー掛けであって、各クランプアームは左右のアーム部を連結一体化し、被クランプ体へのクランプ部を左右のアーム部に渡るように設け、両クランプアームの左アーム部同士を左枢軸に、右アーム部同士を右枢軸に枢着し、両クランプアームの左右のアーム部の間に吊下げ部を延在し、吊下げ部の一端を左枢軸に支持し、吊下げ部の他端を右枢軸に支持してなるようにしたものである。
【発明を実施するための最良の形態】
【０００７】
図１はハンガー掛けを示す模式斜視図、図２はハンガー掛けのクランプアームと吊下げ部を示す模式図、図３は鴨居の高さが前後で同じ場合のハンガー掛けの使用状態を示す模式図、図４は鴨居の高さが前後で異なる場合のハンガー掛けの使用状態を示す模式図、図５はハンガー掛けの他の例を示す斜視図、図６は鴨居の高さが前後で同じ場合のハンガー掛けの使用状態を示す模式図、図７は鴨居の高さが前後で異なる場合のハンガー掛けの使用状態を示す模式図である。
【実施例】
【０００８】
ハンガー掛け１０は、図１〜図４に示す如く、相対するクプランプアーム１１、２１を枢軸３０（左右の枢軸３０Ａ、３０Ｂ）に枢着するとともに、両クランプアーム１１、２１を被クランプ体としての鴨居１にクランプさせる方向に常時付勢するねじりばね４０（左右のばね４０Ａ、４０Ｂ）を設けて構成される。
【０００９】
クランプアーム１１は左右のアーム部１１Ａ、１１Ｂを連結部１１Ｃにより連結一体化し、鴨居１へのクランプ部１２を左右のアーム部１１Ａ、１１Ｂに渡るように設ける。クランプアーム２１は左右のアーム部２１Ａ、２１Ｂを連結部２１Ｃにより連結一体化し、鴨居１へのクランプ部２２を左右のアーム部２１Ａ、２１Ｂに渡るように設ける。
【００１０】
ハンガー掛け１０は、図２に示す如く、両クランプアーム１１、２１の左アーム部１１Ａ、２１Ａ同士を左枢軸３０Ａに枢着し、右アーム部１１Ｂ、２１Ｂ同士を右枢軸３０Ｂに枢着する。左ばね４０Ａは左枢軸３０Ａまわりに巻き掛けられ、一端を左アーム部１１Ａに弾発的に係止され、他端を左アーム部２１Ａに弾発的に係止される。右ばね４０Ｂは右枢軸３０Ｂまわりに巻き掛けられ、一端を右アーム部１１Ｂに弾発的に係止され、他端を右アーム部２１Ｂに弾発的に係止される。
【００１１】
ハンガー掛け１０は、図２に示す如く、両クランプアーム１１、２１の左アーム部１１Ａ、２１Ａと右アーム部１１Ｂ、２１Ｂの間に丸棒状の吊下げ部５０を延在する。吊下げ部５０の一端は左枢軸３０Ａに嵌合支持され、他端は右枢軸３０Ｂに嵌合支持される。左右の枢軸３０Ａ、３０Ｂは同軸をなす。
【００１２】
従って、ハンガー掛け１０を鴨居１に固定する場合、両手指によりクランプアーム１１とクランプアーム２１をばね４０の付勢力に抗して拡開し、各クランプアーム１１、２１のクランプ部１２、２２を鴨居１の前後両側に当てがい、手指の力を緩めることにより、ばね４０の付勢力によりクランプ部１２、２２を鴨居１の前後両側に圧接して挟持する。多数のハンガーＨを吊下げ部５０に引き掛けて使うことができる。
【００１３】
ハンガー掛け１０は、図３、図４に示す如く、各クランプアーム１１、２２の左アーム部１１Ａ、２１Ａと右アーム部１１Ｂ、２１Ｂに渡るように設けられるクランプ部１２、２２のクランプ高さ位置（例えば吊下げ部５０に対する高さ）を調整可能とするように、クランプ部１２、２２を左アーム部１１Ａ、２１Ａの例えば上下の取付部Ａ、Ｂと右アーム部１１Ｂ、２１Ｂの例えば上下の取付部Ａ、Ｂに対して着脱できる。図３の鴨居１の高さが前後で同じ場合、各クランプアーム１１、２１のクランプ部１２、２２のそれぞれは左右のアーム部１１Ａ、１１Ｂの取付部Ｂと左右のアーム部２１Ａ、２１Ｂの取付部Ｂのそれぞれに取付けられて鴨居１を前後から挟持する。図４の鴨居１の高さが前後で異なる場合（クランプアーム１１のクランプ部１２が対応する鴨居１の高さが低く、クランプアーム２１のクランプ部２２が対応する鴨居１の高さが高い）、クランプアーム１１のクランプ部１２は左右のアーム部１１Ａ、１１Ｂの取付部Ｂに取付けられ、クランプアーム２１のクランプ部２２は左右のアーム部２１Ａ、２１Ｂの取付部Ａに取付けられて鴨居１を前後から挟持する。
【００１４】
本実施例によれば以下の作用効果を奏する。
(a)ハンガー掛け１０において、各クランプアーム１１、２１は左右のアーム部１１Ａ、１１Ｂを連結一体化するとともに左右のアーム部２１Ａ、２１Ｂを連結一体化し、鴨居１へのクランプ部１２、２２を左右のアーム部１１Ａ、１１Ｂと左右のアーム部２１Ａ、２１Ｂに渡るように設けた。このため、ハンガー掛け１０は、相対するクランプアーム１１、２１の左右に長いクランプ部１２、２２を鴨居１に突き当て、該鴨居１を挟持するものになる。従って、クランプアーム１１、２１は鴨居１に突き当てられるクランプ巾を必要なだけ広巾にでき、鴨居１を安定良く確実にクランプでき、ハンガー掛け１０の全体を鴨居１に安定良く平行に固定できる。
【００１５】
(b)ハンガー掛け１０は、両クランプアーム１１、２１の左アーム部１１Ａ、２１Ａと右アーム部１１Ｂ、２１Ｂの間に吊下げ部５０を延在し、吊下げ部５０の一端を左枢軸３０Ａに支持し、他端を右枢軸３０Ｂに支持した。このため、ハンガーＨを掛ける吊下げ部５０を必要なだけ左右に長く延在でき、多数のハンガーＨを掛けて用いることができる。
【００１６】
(c)ハンガー掛け１０は、各クランプアーム１１、２１の左アーム部１１Ａ、２１Ａと右アーム部１１Ｂ、２１Ｂに渡るように設けられるクランプ部１２、２２のクランプ高さ位置を調整可能にするように、クランプ部１２、２２を左アーム部１１Ａ、２１Ａと右アーム部１１Ｂ、２１Ｂに対して着脱可能にした。従って、相対するクランプアーム１１、２１の各クランプ部１２、２２のクランプ高さ位置を、当該クランプ部１２、２２のそれぞれが対応する鴨居１の高さに応ずるように調整でき、同一のハンガー掛け１０を形状の異なる各種鴨居１に良く適合して共用できる。
【００１７】
ハンガー掛け１００は、図５〜図７に示す如く、相対するクランプアーム１１１、１２１を中央リンク１３０（左右のリンク部１３０Ａ、１３０Ｂ）の両端に設けた枢軸１３１（左右の枢軸１３１Ａ、１３１Ｂ）のそれぞれに枢着するとともに、両クランプアーム１１１、１２１を被クランプ体としての鴨居１にクランプさせる方向に常時付勢するねじりばね１４０（左右のばね１４０Ａ、１４０Ｂ）を設けて構成される。
【００１８】
クランプアーム１１１は左右のアーム部１１１Ａ、１１１Ｂを連結部１１１Ｃにより連結一体化し、鴨居１へのクランプ部１１２を左右のアーム部１１１Ａ、１１１Ｂに渡るように、本実施例では連結部１１１Ｃに一体に設ける。クランプアーム１２１は左右のアーム部１２１Ａ、１２１Ｂを連結部１２１Ｃにより連結一体化し、鴨居１へのクランプ部１２２を左右のアーム部１２１Ａ、１２１Ｂに渡るように、本実施例では連結部１２１Ｃに一体に設ける。
【００１９】
中央リンク１３０は各クランプアーム１１１、１２１の左右のアーム部１１１Ａ、１１１Ｂと１２１Ａ、１２１Ｂに対応する左右のリンク部１３０Ａ、１３０Ｂを有する。そして、両クランプアーム１１１、１２１の各アーム部１１１Ａ、１２１Ａを中央リンク１３０の左リンク部１３０Ａの両端に設けた各左枢軸１３１Ａ、１３１Ａに枢着し、両クランプアーム１１１、１２１の各右アーム部１１１Ｂ、１２１Ｂを中央リンク１３０の右リンク部１３０Ｂの両端に設けた各右枢軸１３１Ｂ、１３１Ｂに枢着する。
【００２０】
各左枢軸１３１Ａまわりには各左ばね１４０Ａが巻き掛けられ、各左ばね１４０Ａの一端を左アーム部１１１Ａ又は１２１Ａに弾発的に係止し、各左ばね１４０Ａの他端を左リンク部１３０Ａに弾発的に係止する。各右枢軸１３１Ｂまわりには各右ばね１４０Ｂが巻き掛けられ、各右ばね１４０Ｂの一端を右アーム部１１１Ｂ又は１２１Ｂに弾発的に係止し、各右ばね１４０Ｂの他端を右リンク部１３０Ｂに弾発的に係止する。これにより、ねじりばね１４０（１４０Ａ、１４０Ｂ）は、クランプアーム１１１が中央リンク１３０に対してなす角度を縮小する常時閉じ方向に付勢し、クランプアーム１２１が中央リンク１３０に対してなす角度を縮小する常時閉じ方向に付勢する。
【００２１】
ハンガー掛け１００は、クランプアーム１１１の左右のアーム部１１１Ａ、１１１Ｂの間に丸棒状の前吊下げ部１５１を延在し、クランプアーム１２１の左右のアーム部１２１Ａ、１２１Ｂの間に丸棒状の後吊下げ部１５２を延在する。更に、中央リンク１３０の左右のリンク部１３０Ａ、１３０Ｂの間に丸棒状の中央吊下げ部１５３を延在する。
【００２２】
従って、ハンガー掛け１００を鴨居１に固定する場合、両手指によりクランプアーム１１１とクランプアーム１１２を左右のばね１４０Ａ、１４０Ｂの付勢力に抗し、中央リンク１３０の左右のリンク部１３０Ａ、１３０Ｂに対して拡開し、両クランプアーム１１１、１２１のクランプ部１１２、１２２を鴨居１の前後両側にあてがい、手指の力を緩めることにより、ばね１４０Ａ、１４０Ｂの付勢力によりクランプ部１１２、１２２を鴨居１の前後両側に圧接して挟持する（図６）。多数のハンガーＨを吊下げ部１５１、１５２、１５３に引き掛けて使うことができる。
【００２３】
鴨居１の高さが図７に示す如くに前後で異なる場合（クランプアーム１１１のクランプ部１１２が対応する鴨居１の高さが高く、クランプアーム１２１のクランプ部１２２が対応する鴨居１の高さが低い）、左右のばね１４０Ａ、１４０Ｂがクランプアーム１１１、１２１を前述の如くに付勢する状態下で、両手指によりクランプアーム１１１とクランプアーム１２１が中央リンク１３０（リンク部１３０Ａ、１３０Ｂ）に対する交差角度を弾発的に変化させ、クランプアーム１１１と中央リンク１３０の交差角度を拡大し、クランプアーム１２１と中央リンク１３０の交差角度を縮小し、結果としてクランプアーム１１１のクランプ部１１２を高い鴨居１に位置付け、クランプアーム１２１のクランプ部１２２を低い鴨居１に位置付けることを可能とする。
【００２４】
本実施例によれば以下の作用効果を奏する。
(a)ハンガー掛け１００において、各クランプアーム１１１、１２１は左右のアーム部１１１Ａ、１１１Ｂを連結一体化するとともに左右のアーム部１２１Ａ、１２１Ｂを連結一体化し、鴨居１へのクランプ部１１２、１２２を左右のアーム部１１１Ａ、１１１Ｂと左右のアーム部１２１Ａ、１２１Ｂに渡るように設けた。このため、ハンガー掛け１００は、相対するクランプアーム１１１、１２１の左右に長いクランプ部１１２、１２２を鴨居１に突き当て、該鴨居１を挟持するものになる。従って、クランプアーム１１１、１２１は鴨居１に突き当てられるクランプ巾を必要なだけ広巾にでき、鴨居１を安定良く確実にクランプでき、ハンガー掛け１００の全体を鴨居１に安定良く平行に固定できる。
【００２５】
(b)ハンガー掛け１００は、クランプアーム１１１の左右のアーム部１１１Ａ、１１１Ｂの間に前吊下げ部１５１を延在し、クランプアーム１２１の左右のアーム部１２１Ａ、１２１Ｂの間に後吊下げ部１５２を延在した。更に、中央リンク１３０の左右のリンク部１３０Ａ、１３０Ｂの間に中央吊下げ部１５３を延在した。このため、ハンガーＨを掛ける吊下げ部１５１〜１５３を必要なだけ左右に長く延在でき、多数のハンガーＨを掛けて用いることができる。
【００２６】
(c)ハンガー掛け１００は、各クランプアーム１１１、１２１を中央リンク１３０の両側に連結し、クランプアーム１１１とクランプアーム１２１が中央リンク１３０に対してなす角度をばね１４０により常時閉じ方向に付勢することにより、クランプアーム１１１とクランプアーム１２１が中央リンク１３０に対する交差角度を弾発的に変化させることができる。従って、相対するクランプアーム１１１、１２１の各クランプ部１１２、１２２のクランプ高さ位置を、当該クランプ部１１２、１２２のそれぞれが対応する鴨居１の高さに応ずるように調整でき、同一のハンガー掛け１００を形状の異なる各種鴨居１に良く適合して共用できる。
【図面の簡単な説明】
【００２７】
【図１】図１はハンガー掛けを示す模式斜視図である。
【図２】図２はハンガー掛けのクランプアームと吊下げ部を示す模式図である。
【図３】図３は鴨居の高さが前後で同じ場合のハンガー掛けの使用状態を示す模式図である。
【図４】図４は鴨居の高さが前後で異なる場合のハンガー掛けの使用状態を示す模式図である。
【図５】図５はハンガー掛けの他の例を示す斜視図である。
【図６】図６は鴨居の高さが前後で同じ場合のハンガー掛けの使用状態を示す模式図である。
【図７】図７は鴨居の高さが前後で異なる場合のハンガー掛けの使用状態を示す模式図である。
【符号の説明】
【００２８】
１０  ハンガー掛け
１１、２１  クランプアーム
１１Ａ、１１Ｂ、２１Ａ、２１Ｂ  アーム部
１２、２２  クランプ部
３０、３０Ａ、３０Ｂ  枢軸
４０、４０Ａ、４０Ｂ  ばね
５０  吊下げ部
１００  ハンガー掛け
１１１、１２１  クランプアーム
１１１Ａ、１１１Ｂ、１２１Ａ、１２１Ｂ  アーム部
１１２、１２２  クランプ部
１３０  中央リンク
１３０Ａ、１３０Ｂ  リンク部
１３１、１３１Ａ、１３１Ｂ  枢軸
１４０、１４０Ａ、１４０Ｂ  ばね
１５１、１５２、１５３  吊下げ部
【図１】
2008029805.tif 000003
【図２】
2008029805.tif 000004
【図３】
2008029805.tif 000005
【図４】
2008029805.tif 000006
【図５】
2008029805.tif 000007
【図６】
2008029805.tif 000008
【図７】
2008029805.tif 000009